(57)【要約】【課題】基本レイアウトの如何によらず画像表示に係る情報を画像表示装置上に明瞭に表示することの可能な配信情報出力方法及びシステム装置並びに配信情報出力処理プログラム及び該プログラムを記録した記録媒体の提供。【解決手段】複数の情報受信端末３に、それぞれ、対応する複数の画像表示装置４への背景画像情報の表示に関する基本レイアウト情報を設定するための基本レイアウト情報設定部３２と、この基本レイアウト情報設定部３２から取得された基本レイアウト情報に基づき、当該基本レイアウト情報に対する画像情報の視認性を向上させうる形態に当該画像情報を変更して強調画像情報を生成する強調画像情報生成部５と、この強調画像情報生成部５から取得された強調画像情報と基本レイアウト情報とを合成し、当該合成画像情報を対応する複数の画像表示装置４に向け出力する合成画像情報出力部３３とを具備する特徴。【選択図】図１
2004336402.tif 000002
【特許請求の範囲】
【請求項１】
画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置と、を有して構築されるシステムに適用される配信情報出力方法であって、
前記情報配信サーバ及び前記複数の情報受信端末の何れか一方において、
前記複数の情報受信端末から、対応する前記複数の画像表示装置への背景画像情報の表示に関して設定された基本レイアウト情報をそれぞれ取得する処理と、
その取得された前記基本レイアウト情報に基づき、当該基本レイアウト情報に対する前記画像情報の視認性を向上させうる形態に当該画像情報を変更して強調画像情報を生成する処理と、を順次実施し、
前記複数の情報受信端末において、それぞれ、
生成された前記強調画像情報を取得する処理と、
その取得された前記強調画像情報と前記基本レイアウト情報とを合成し、当該合成画像情報を対応する前記複数の画像表示装置に向け出力する処理と、を順次実施する、
ことを特徴とする配信情報出力方法。
【請求項２】
前記強調画像情報を生成する処理は、
前記基本レイアウト情報から、前記背景画像の要部を構成する背景の表示色に関して定義された背景色情報を抽出する処理と、
その抽出された前記背景色情報から導出される特徴色と視覚的に相反する相反色情報を選定する処理と、
前記画像情報を構成する全要素に対して当初定義されている表示色情報を、その選定された前記相反色情報に変更する処理と、を含む、
ことを特徴とする請求項１に記載の配信情報出力方法。
【請求項３】
前記強調画像情報を生成する処理は、
前記基本レイアウト情報から、前記背景画像の一部を構成する文字の表示色に関して定義された文字色情報を抽出する処理と、
その抽出された前記文字色情報から導出される特徴色と視覚的に相反する相反色情報を選定する処理と、
前記画像情報を構成する全要素に対して当初定義されている表示色情報を、その選定された前記相反色情報に変更する処理と、を含む、
ことを特徴とする請求項１に記載の配信情報出力方法。
【請求項４】
前記強調画像情報を生成する処理は、
前記基本レイアウト情報から、前記背景画像の一部を構成する文字の表示フォントに関して定義された文字フォント情報を抽出する処理と、
その抽出された前記文字フォント情報で表される設定フォントと視覚的に相違する相違フォント情報を選定する処理と、
前記画像情報を構成するテキスト要素に対して当初定義されている表示フォント情報を、その選定された前記相違フォント情報に変更する処理と、を含む、
ことを特徴とする請求項１に記載の配信情報出力方法。
【請求項５】
前記相違フォント情報を選定する処理は、
抽出された前記文字フォント情報で表される前記設定フォントと、その種類、表示サイズ、表示形式及び表示色のうち１以上のフォント情報要素について相違する当該相違フォント情報を生成する処理である、
ことを特徴とする請求項４に記載の配信情報出力方法。
【請求項６】
前記基本レイアウト情報を取得する処理及び前記強調画像情報を生成する処理は、
前記複数の情報受信端末においてそれぞれ分散的に実施される、
ことを特徴とする請求項１、２、３、４又は５に記載の配信情報出力方法。
【請求項７】
前記基本レイアウト情報を取得する処理及び前記強調画像情報を生成する処理は、
前記情報配信サーバにおいて集約的に実施される、
ことを特徴とする請求項１、２、３、４又は５に記載の配信情報出力方法。
【請求項８】
画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置と、を有して構築される配信情報出力システム装置であって、
前記複数の情報受信端末は、それぞれ、
対応する前記複数の画像表示装置への背景画像情報の表示に関する基本レイアウト情報を設定するための基本レイアウト情報設定手段と、
この基本レイアウト情報設定手段で設定された前記基本レイアウト情報を取得すると共に、その取得された前記基本レイアウト情報に基づき、当該基本レイアウト情報に対する前記画像情報の視認性を向上させうる形態に当該画像情報を変更して強調画像情報を生成する強調画像情報生成手段と、
この強調画像情報生成手段で生成された前記強調画像情報を取得すると共に、その取得された前記強調画像情報と前記基本レイアウト情報とを合成し、当該合成画像情報を対応する前記複数の画像表示装置に向け出力する合成画像情報出力手段と、を有する、
ことを特徴とする配信情報出力システム装置。
【請求項９】
画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置と、を有して構築される配信情報出力システム装置であって、
前記複数の情報受信端末は、それぞれ、
対応する前記複数の画像表示装置への背景画像情報の表示に関する基本レイアウト情報を設定するための基本レイアウト情報設定手段と、
この基本レイアウト情報手段で設定された前記基本レイアウト情報を、前記ネットワークを経由して前記情報配信サーバに向け送信する基本レイアウト情報送信手段と、を有し、
前記情報配信サーバは、
前記基本レイアウト情報送信手段から送信された前記基本レイアウト情報を取得すると共に、その取得された前記基本レイアウト情報に基づき、当該基本レイアウト情報に対する前記画像情報の視認性を向上させうる形態に当該画像情報を変更して強調画像情報を生成する強調画像情報生成手段と、
この強調画像情報生成手段で生成された前記強調画像情報を、前記ネットワークを経由して前記複数の情報受信端末に向け配信する強調画像情報配信手段と、を有し、
前記複数の情報受信端末は、それぞれ、
前記強調画像情報配信手段から配信された前記強調画像情報を取得すると共に、その取得された前記強調画像情報と前記基本レイアウト情報とを合成し、当該合成画像情報を対応する前記複数の画像表示装置に向け出力する合成画像情報出力手段と、を有する、
ことを特徴とする配信情報出力システム装置。
【請求項１０】
前記強調画像情報生成手段は、
前記基本レイアウト情報設定手段から取得された前記基本レイアウト情報から、前記背景画像の要部を構成する背景の表示色に関して定義された背景色情報を抽出する背景色情報抽出手段と、
この背景色情報抽出手段で抽出された前記背景色情報から導出される特徴色と視覚的に相反する相反色情報を選定すると共に、前記画像情報を構成する全要素に対して当初定義されている表示色情報を、その選定された前記相反色情報に変更する表示色情報変更手段と、を有する、
ことを特徴とする８又は９に記載の配信情報出力システム装置。
【請求項１１】
前記強調画像情報生成手段は、
前記基本レイアウト情報設定手段から取得された前記基本レイアウト情報から、前記背景画像の一部を構成する文字の表示色に関して定義された文字色情報を抽出する文字色情報抽出手段と、
この文字色情報抽出手段で抽出された前記文字色情報から導出される特徴色と視覚的に相反する相反色情報を選定すると共に、前記画像情報を構成する全要素に対して当初定義されている表示色情報を、その選定された前記相反色情報に変更する表示色情報変更手段と、を有する、
ことを特徴とする請求項８又は９に記載の配信情報出力システム装置。
【請求項１２】
前記強調画像情報生成手段は、
前記基本レイアウト情報設定手段から取得された前記基本レイアウト情報から、前記背景画像の一部を構成する文字の表示フォントに関して定義された文字フォント情報を抽出する文字フォント情報抽出手段と、
この文字フォント情報抽出手段で抽出された前記文字フォント情報で表される設定フォントと視覚的に相違する相違フォント情報を選定すると共に、前記画像情報を構成するテキスト要素に対して当初定義されている表示フォント情報を、その選定された前記相違フォント情報に変更する文字フォント情報変更手段と、を有する、
ことを特徴とする請求項８又は９に記載の配信情報出力システム装置。
【請求項１３】
前記文字フォント情報変更手段は、
前記相違フォント情報の選定に際し、前記文字フォント情報抽出手段で抽出された前記文字フォント情報で表される前記設定フォントと、その種類、表示サイズ、表示形式及び表示色のうち１以上のフォント情報要素について相違する当該相違フォント情報を生成する機能手段である、
ことを特徴とする請求項１２に記載の配信情報出力システム装置。
【請求項１４】
画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置と、を有して構築されるシステムに導入して適用される配信情報出力処理プログラムであって、
前記情報配信サーバ及び前記複数の情報受信端末の何れか一方に、
前記複数の情報受信端末から、対応する前記複数の画像表示装置への背景画像情報の表示に関して設定された基本レイアウト情報をそれぞれ取得させるステップと、
その取得された前記基本レイアウト情報に基づき、当該基本レイアウト情報に対する前記画像情報の視認性を向上させうる形態に当該画像情報を変更させて強調画像情報を生成させるステップと、を有し、
前記複数の情報受信端末に、それぞれ、
生成された前記強調画像情報を取得させるステップと、
その取得された前記強調画像情報と前記基本レイアウト情報とを合成させ、当該合成画像情報を対応する前記複数の画像表示装置に向け出力させるステップと、有する、
ことを特徴とする配信情報出力処理プログラム。
【請求項１５】
請求項１４に記載の配信情報出力処理プログラムをコンピュータ読取可能に実録してなる、
ことを特徴とする配信情報出力処理プログラムを記録した記録媒体。
【発明の詳細な説明】
【０００１】
【発明の属する技術分野】
本発明は、配信情報出力方法及びシステム装置並びに配信情報出力処理プログラム及び該プログラムを記録した記録媒体に関し、詳しくは、画像表示に係る情報を配信する情報配信サーバと、この情報配信サーバからネットワークを経由して配信された情報をそれぞれ受信する複数の情報受信端末と、これら複数の情報受信端末で受信された情報に基づく画像情報をそれぞれ表示する複数の画像表示装置とを有して構築されるシステムに適用される配信情報出力方法、並びにその実施に直接使用される配信情報出力システム装置、配信情報出力処理プログラム及び当該配信情報出力処理プログラムを記録した記録媒体に係わる。
【０００２】
【従来の技術】
従来、テレビ放送などにおいて行われている文字放送を受信するための技術として、下記の特許文献に開示のように、文字放送の内容を受像装置に正確に表示させるための技術（特許文献１）や、或いは、その内容を音声により再生するための技術（特許文献２）が知られている。
【０００３】
【特許文献１】
特開２００１−３１３９１２号公報
【０００４】
【特許文献２】
特開２００１−３５９０５５号公報
【０００５】
これに対し、近年普及しているＩＰラジオ（ＩＰ：Ｉｎｔｅｒｎｅｔ  Ｐｒｏｔｏｃｏｌ）などのように、情報配信サーバから配信されたテキストや画像などの画像表示に係る情報をＰＣ（パーソナルコンピュータ）などの情報受信端末に受信させ、その情報を、ＣＲＴ（陰極線管）や液晶ディスプレイなどの画像表示装置上に表示されている背景画像（いわゆる「壁紙」）に重畳させて表示させる技術が存在する。
【０００６】
【発明が解決しようとする課題】
しかしながら、この種の配信情報出力システムにあっては、テレビ放送における文字放送とは異なり、画像表示装置に対する上記背景画像の表示に関して設定される基本レイアウトが、情報受信端末の利用者により随意に決定される性質のものであるため、その基本レイアウトを構成する背景や文字の表示色、或いは当該文字の表示フォントが、画像表示に係る情報のそれらと近似していた場合に、当該情報を画像表示装置上に明瞭に表示できなくなる（即ち、情報受信端末の利用者にとって情報が見づらくなる）という問題がある。
【０００７】
ここにおいて、本発明の解決すべき主要な目的は、次のとおりである。
【０００８】
即ち、本発明の第１の目的は、情報受信端末により設定された基本レイアウトの如何によらず、情報配信サーバから配信された画像表示に係る情報を画像表示装置上に明瞭に表示することの可能な配信情報出力方法及びシステム装置並びに配信情報出力処理プログラム及び該プログラムを記録した記録媒体を提供せんとするものである。
【０００９】
本発明の第２の目的は、ネットワーク上に存在する複数の情報受信端末によりそれぞれ設定されている複数の基本レイアウトに個別に対応することの可能な配信情報出力方法及びシステム装置並びに配信情報出力処理プログラム及び該プログラムを記録した記録媒体を提供せんとするものである。
【００１０】
本発明の他の目的は、明細書、図面、特に特許請求の範囲の各請求項の記載から、自ずと明らかとなろう。
【００１１】
【課題を解決するための手段】
まず、本発明方法においては、情報配信サーバ及び複数の情報受信端末の何れか一方の情報処理手段に、複数の情報受信端末から、対応する複数の画像表示装置への背景画像情報の表示に関して設定された基本レイアウト情報をそれぞれ取得する処理と、その取得された基本レイアウト情報に基づき、当該基本レイアウト情報に対する画像情報の視認性を向上させうる形態に当該画像情報を変更して強調画像情報を生成する処理とを順次実施させ、複数の情報受信端末に、生成された強調画像情報を取得する処理と、その取得された強調画像情報と基本レイアウト情報とを合成し、当該合成画像情報を対応する複数の画像表示装置に向け出力する処理とを順次実施させる、という特徴的構成手法を講じる。
【００１２】
一方、本発明装置においては、複数の情報受信端末に、それぞれ、対応する複数の画像表示装置への背景画像情報の表示に関する基本レイアウト情報を設定するための基本レイアウト情報設定手段と、この基本レイアウト情報設定手段で設定された基本レイアウト情報を取得すると共に、その取得された基本レイアウト情報に基づき、当該基本レイアウト情報に対する画像情報の視認性を向上させうる形態に当該画像情報を変更して強調画像情報を生成する強調画像情報生成手段と、この強調画像情報生成手段で生成された強調画像情報を取得すると共に、その取得された強調画像情報と基本レイアウト情報とを合成し、当該合成画像情報を対応する複数の画像表示装置に向け出力する合成画像情報出力手段とを具備させる、という特徴的構成手段を講じる。
【００１３】
他方、本発明プログラムにおいては、情報配信サーバ及び複数の情報受信端末の何れか一方の情報処理手段に、複数の情報受信端末から、対応する複数の画像表示装置への背景画像情報の表示に関して設定された基本レイアウト情報をそれぞれ取得させるステップと、その取得された基本レイアウト情報に基づき、当該基本レイアウト情報に対する画像情報の視認性を向上させうる形態に当該画像情報を変更させて強調画像情報を生成させるステップとを具備させ、複数の情報受信端末に、それぞれ、生成された強調画像情報を取得させるステップと、その取得された強調画像情報と基本レイアウト情報とを合成させ、当該合成画像情報を対応する複数の画像表示装置に向け出力させるステップとを具備させる、という特徴的構成手順を講じる。
【００１４】
加えて、本発明記録媒体においては、上記本発明プログラムに具備させた各ステップをコンピュータ読取可能に実録する、という特徴的構成手続を講じる。
【００１５】
さらに、具体的詳細に述べると、当該課題の解決では、本発明が次に列挙する上位概念から下位概念に亙る新規な特徴的構成手法、手段、手順又は手続を採用することにより、前記目的を達成するよう為される。
【００１６】
即ち、本発明方法の第１の特徴は、画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置とを有して構築されるシステムに適用される配信情報出力方法であって、前記情報配信サーバ及び前記複数の情報受信端末の何れか一方において、前記複数の情報受信端末から、対応する前記複数の画像表示装置への背景画像情報の表示に関して設定された基本レイアウト情報をそれぞれ取得する処理と、その取得された前記基本レイアウト情報に基づき、当該基本レイアウト情報に対する前記画像情報の視認性を向上させうる形態に当該画像情報を変更して強調画像情報を生成する処理とを順次実施し、前記複数の情報受信端末において、それぞれ、生成された前記強調画像情報を取得する処理と、その取得された前記強調画像情報と前記基本レイアウト情報とを合成し、当該合成画像情報を対応する前記複数の画像表示装置に向け出力する処理とを順次実施してなる、配信情報出力方法の構成採用にある。
【００１７】
本発明方法の第２の特徴は、上記本発明方法の第１の特徴における前記強調画像情報を生成する処理が、前記基本レイアウト情報から、前記背景画像の要部を構成する背景の表示色に関して定義された背景色情報を抽出する処理と、その抽出された前記背景色情報から導出される特徴色と視覚的に相反する相反色情報を選定する処理と、前記画像情報を構成する全要素に対して当初定義されている表示色情報を、その選定された前記相反色情報に変更する処理とを含んでなる、配信情報出力方法の構成採用にある。
【００１８】
本発明方法の第３の特徴は、上記本発明方法の第１の特徴における前記強調画像情報を生成する処理が、前記基本レイアウト情報から、前記背景画像の一部を構成する文字の表示色に関して定義された文字色情報を抽出する処理と、その抽出された前記文字色情報から導出される特徴色と視覚的に相反する相反色情報を選定する処理と、前記画像情報を構成する全要素に対して当初定義されている表示色情報を、その選定された前記相反色情報に変更する処理とを含んでなる、配信情報出力方法の構成採用にある。
【００１９】
本発明方法の第４の特徴は、上記本発明方法の第１の特徴における前記強調画像情報を生成する処理が、前記基本レイアウト情報から、前記背景画像の一部を構成する文字の表示フォントに関して定義された文字フォント情報を抽出する処理と、その抽出された前記文字フォント情報で表される設定フォントと視覚的に相違する相違フォント情報を選定する処理と、前記画像情報を構成するテキスト要素に対して当初定義されている表示フォント情報を、その選定された前記相違フォント情報に変更する処理とを含んでなる、配信情報出力方法の構成採用にある。
【００２０】
本発明方法の第５の特徴は、上記本発明方法の第４の特徴における前記相違フォント情報を選定する処理が、抽出された前記文字フォント情報で表される前記設定フォントと、その種類、表示サイズ、表示形式及び表示色のうち１以上のフォント情報要素について相違する当該相違フォント情報を生成する処理である、配信情報出力方法の構成採用にある。
【００２１】
本発明方法の第６の特徴は、上記本発明方法の第１、第２、第３、第４又は第５の特徴における前記基本レイアウト情報を取得する処理及び前記強調画像情報を生成する処理が、前記複数の情報受信端末においてそれぞれ分散的に実施されてなる、配信情報出力方法の構成採用にある。
【００２２】
本発明方法の第７の特徴は、上記本発明方法の第１、第２、第３、第４又は第５の特徴における前記基本レイアウト情報を取得する処理及び前記強調画像情報を生成する処理が、前記情報配信サーバにおいて集約的に実施されてなる、配信情報出力方法の構成採用にある。
【００２３】
一方、本発明装置の第１の特徴は、画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置とを有して構築される配信情報出力システム装置であって、前記複数の情報受信端末が、それぞれ、対応する前記複数の画像表示装置への背景画像情報の表示に関する基本レイアウト情報を設定するための基本レイアウト情報設定手段と、この基本レイアウト情報設定手段で設定された前記基本レイアウト情報を取得すると共に、その取得された前記基本レイアウト情報に基づき、当該基本レイアウト情報に対する前記画像情報の視認性を向上させうる形態に当該画像情報を変更して強調画像情報を生成する強調画像情報生成手段と、この強調画像情報生成手段で生成された前記強調画像情報を取得すると共に、その取得された前記強調画像情報と前記基本レイアウト情報とを合成し、当該合成画像情報を対応する前記複数の画像表示装置に向け出力する合成画像情報出力手段とを有してなる、配信情報出力システム装置の構成採用にある。
【００２４】
本発明装置の第２の特徴は、画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置とを有して構築される配信情報出力システム装置であって、前記複数の情報受信端末が、それぞれ、対応する前記複数の画像表示装置への背景画像情報の表示に関する基本レイアウト情報を設定するための基本レイアウト情報設定手段と、この基本レイアウト情報手段で設定された前記基本レイアウト情報を、前記ネットワークを経由して前記情報配信サーバに向け送信する基本レイアウト情報送信手段とを有し、前記情報配信サーバが、前記基本レイアウト情報送信手段から送信された前記基本レイアウト情報を取得すると共に、その取得された前記基本レイアウト情報に基づき、当該基本レイアウト情報に対する前記画像情報の視認性を向上させうる形態に当該画像情報を変更して強調画像情報を生成する強調画像情報生成手段と、この強調画像情報生成手段で生成された前記強調画像情報を、前記ネットワークを経由して前記複数の情報受信端末に向け配信する強調画像情報配信手段とを有し、前記複数の情報受信端末が、それぞれ、前記強調画像情報配信手段から配信された前記強調画像情報を取得すると共に、その取得された前記強調画像情報と前記基本レイアウト情報とを合成し、当該合成画像情報を対応する前記複数の画像表示装置に向け出力する合成画像情報出力手段とを有してなる、配信情報出力システム装置の構成採用にある。
【００２５】
本発明装置の第３の特徴は、上記本発明装置の第１又は第２の特徴における前記強調画像情報生成手段が、前記基本レイアウト情報設定手段から取得された前記基本レイアウト情報から、前記背景画像の要部を構成する背景の表示色に関して定義された背景色情報を抽出する背景色情報抽出手段と、この背景色情報抽出手段で抽出された前記背景色情報から導出される特徴色と視覚的に相反する相反色情報を選定すると共に、前記画像情報を構成する全要素に対して当初定義されている表示色情報を、その選定された前記相反色情報に変更する表示色情報変更手段とを有してなる、配信情報出力システム装置の構成採用にある。
【００２６】
本発明装置の第４の特徴は、上記本発明装置の第１又は第２の特徴における前記強調画像情報生成手段が、前記基本レイアウト情報設定手段から取得された前記基本レイアウト情報から、前記背景画像の一部を構成する文字の表示色に関して定義された文字色情報を抽出する文字色情報抽出手段と、この文字色情報抽出手段で抽出された前記文字色情報から導出される特徴色と視覚的に相反する相反色情報を選定すると共に、前記画像情報を構成する全要素に対して当初定義されている表示色情報を、その選定された前記相反色情報に変更する表示色情報変更手段とを有してなる、配信情報出力システム装置の構成採用にある。
【００２７】
本発明装置の第５の特徴は、上記本発明装置の第１又は第２の特徴における前記強調画像情報生成手段が、前記基本レイアウト情報設定手段から取得された前記基本レイアウト情報から、前記背景画像の一部を構成する文字の表示フォントに関して定義された文字フォント情報を抽出する文字フォント情報抽出手段と、この文字フォント情報抽出手段で抽出された前記文字フォント情報で表される設定フォントと視覚的に相違する相違フォント情報を選定すると共に、前記画像情報を構成するテキスト要素に対して当初定義されている表示フォント情報を、その選定された前記相違フォント情報に変更する文字フォント情報変更手段とを有してなる、配信情報出力システム装置の構成採用にある。
【００２８】
本発明装置の第６の特徴は、上記本発明装置の第５の特徴における前記文字フォント情報変更手段が、前記相違フォント情報の選定に際し、前記文字フォント情報抽出手段で抽出された前記文字フォント情報で表される前記設定フォントと、その種類、表示サイズ、表示形式及び表示色のうち１以上のフォント情報要素について相違する当該相違フォント情報を生成する機能手段である、配信情報出力システム装置の構成採用にある。
【００２９】
他方、本発明プログラムの特徴は、画像表示に係る情報を配信する情報配信サーバと、この情報配信サーバからネットワークを経由して配信された前記情報をそれぞれ受信する複数の情報受信端末と、これら複数の情報受信端末で受信された前記情報に基づく画像情報をそれぞれ表示する複数の画像表示装置とを有して構築されるシステムに導入して適用される配信情報出力処理プログラムであって、前記情報配信サーバ及び前記複数の情報受信端末の何れか一方に、前記複数の情報受信端末から、対応する前記複数の画像表示装置への背景画像情報の表示に関して設定された基本レイアウト情報をそれぞれ取得させるステップと、その取得された前記基本レイアウト情報に基づき、当該基本レイアウト情報に対する前記画像情報の視認性を向上させうる形態に当該画像情報を変更させて強調画像情報を生成させるステップとを有し、前記複数の情報受信端末に、それぞれ、生成された前記強調画像情報を取得させるステップと、その取得された前記強調画像情報と前記基本レイアウト情報とを合成させ、当該合成画像情報を対応する前記複数の画像表示装置に向け出力させるステップとを有してなる、配信情報出力処理プログラの構成採用にある。
【００３０】
加えて、本発明記録媒体の特徴は、上記本発明プログラムの特徴における配信情報出力処理プログラムをコンピュータ読取可能に実録してなる、配信情報出力処理プログラムを記録した記録媒体の構成採用にある。
【００３１】
【発明の実施の形態】
以下、本発明の実施の形態につき、添付図面を参照しつつ、第１及び第２装置例並びにこれに対応する第１及び第２方法例を説明し、次いで、これら装置例及び方法例をソフトウェアにより具現化するためのプログラム例及び記録媒体例を順に挙げて説明する。
【００３２】
（第１装置例）
まず、図１は、本発明の第１装置例に係る配信情報出力システム装置の機能構成図である。
【００３３】
同図に示すように、本第１装置例に係る配信情報出力システム装置αは、そのネットワーク構成要素として、画像表示に係る情報を配信する情報配信サーバ１と、この情報配信サーバ１からネットワーク２を経由して配信された情報をそれぞれ受信する複数の情報受信端末３（図では１つの情報受信端末３）と、これら複数の情報受信端末３で受信された情報に基づく画像情報をそれぞれ表示する複数の画像表示装置４（図では１つの画像表示装置４）とを有して構成される。なお、これら情報配信サーバ１及び複数の情報受信端末３は、共にコンピュータの基本機能を具備する。
【００３４】
このうち、情報配信サーバ１は、テキストや画像などの画像表示に係る情報を生成する表示情報生成部１１と、この表示情報生成部１１で生成された情報を、ネットワーク２を経由して複数の情報受信端末３に向け配信する表示情報配信部１２とを有して構成される。
【００３５】
一方、複数の情報受信端末３は、それぞれ、情報配信サーバ１からネットワーク２を経由して配信された表示情報を受信する表示情報受信部３１と、対応する複数の画像表示装置４への背景画像情報の表示に関する基本レイアウト情報を設定するための基本レイアウト情報設定部３２と、この基本レイアウト情報設定部３２で設定された基本レイアウト情報を取得すると共に、その取得された基本レイアウト情報に基づき、当該基本レイアウト情報に対する画像情報の視認性を向上させうる形態に当該画像情報を変更して強調画像情報を生成する強調画像情報生成部５と、この強調画像情報生成部５で生成された強調画像情報を取得すると共に、その取得された強調画像情報と基本レイアウト情報とを合成し、当該合成画像情報を対応する複数の画像表示装置４に向け出力する合成画像情報出力部３３とを有して構成される。
【００３６】
ここで、複数の情報受信端末３に設けられる強調画像情報生成部５は、表示情報受信部３１で受信された表示情報に基づいて画像情報（イメージ）を生成する画像情報生成部５１と、基本レイアウト情報設定部３２から取得された基本レイアウト情報から、背景画像の要部を構成する背景の表示色に関して定義された背景色情報を抽出する背景色情報抽出部５２と、この背景色情報抽出部５２で抽出された背景色情報から導出される特徴色と視覚的に相反する相反色情報を選定すると共に、画像情報を構成する全要素に対して当初定義されている表示色情報を、その選定された相反色情報に変更する（強調画像情報を生成する）表示色情報変更部５３とを有して構成される。
【００３７】
なお、上記背景色情報抽出部５２に代えて、基本レイアウト情報設定部３２から取得された基本レイアウト情報から、背景画像の一部を構成する文字の表示色に関して定義された文字色情報を抽出する文字色情報抽出部を設け、さらに、表示色情報変更部５３に、当該文字色情報抽出部で抽出された文字色情報から導出される特徴色と視覚的に相反する相反色情報を選定すると共に、画像情報を構成する全要素に対して当初定義されている表示色情報を、その選定された相反色情報に変更する機能手段を具備させてもよい。
【００３８】
（第１方法例）
続いて、以上のように構成された配信情報出力システム装置αにより実施される配信情報出力方法の具体例を、当該配信情報出力システム装置αの動作態様に即して説明する。なお、本第１方法例では、情報配信サーバ１が、複数の情報受信端末３における複数の画像表示装置４への画像表示に係る情報として、テキスト情報及び地図情報からなる「地震情報」をネットワーク２を経由して配信する例を挙げて説明する。
【００３９】
まず、本配信情報出力システム装置αにおける情報配信サーバ１は、表示情報生成部１１において、上記地震情報を表現する震源地や各地の震度などを示すテキスト情報及び地図情報を生成し、これら各情報を表示情報配信部１２に受け渡す。そして、表示情報配信部１２は、その表示情報生成部１１から受け渡されたテキスト情報及び地図情報を、ネットワーク２を経由して複数の情報受信端末３に配信する。
【００４０】
次に、複数の情報受信端末３における表示情報受信部３１は、テキスト情報及び地図情報がネットワーク２を経由して受信されると、これら各情報を強調画像情報生成部５における画像情報生成部５１に受け渡すと共に、それら各情報の受信を契機に基本レイアウト情報設定部３２を制御することにより、その基本レイアウト情報設定部３２に、対応する複数の画像表示装置４への背景画像情報の表示に関して設定された基本レイアウト情報を出力させる。
【００４１】
次に、強調画像情報生成部５は、画像情報生成部５１において、表示情報受信部３１から受け渡されたテキスト情報及び地図情報に基づいて、対応する画像情報（イメージ）を生成し、この画像情報を表示色情報変更部５３に受け渡す。
【００４２】
これに対し、同強調画像情報生成部５における背景色情報抽出部５２は、基本レイアウト情報設定部３２から出力された上記基本レイアウト情報を取得して、その取得された基本レイアウト情報から、背景画像の要部を構成する背景の表示色に関して定義された背景色情報を抽出し、さらに、その抽出された背景色情報から導出される特定の特徴色、例えば、背景において最も多く使用されている色（代表色）や、使用されている全ての色の平均（平均色）などに関する色情報をビット列として抽出し、このビット列を表示色情報変更部５３に受け渡す。
【００４３】
次に、表示色情報変更部５３は、基本レイアウト情報に対する画像情報の視認性を向上させうる形態に当該画像情報を変更するために、背景色情報抽出部５２から受け渡された色情報を示すビット列を反転させることにより、当該色情報と反対色の色情報を生成し、この色情報を、上記特徴色と視覚的に相反する相反色情報として選定する。
【００４４】
次に、表示色情報変更部５３は、画像情報生成部５１から受け渡された画像情報を構成する全要素（テキスト情報及び地図情報）に対して当初定義されている表示色情報を、選定された上記反対色の相反色情報に変更し、この相反色情報を、強調画像情報として合成画像情報出力部３３に出力する。この結果、所要の強調画像情報を生成する処理が、基本レイアウト情報を自ら取得した複数の情報受信端末３における強調画像情報生成部５において、それぞれ分散的に実施されるようになる。
【００４５】
そして、合成画像情報出力部３３は、表示色情報変更部５３から出力された上記強調画像情報と、基本レイアウト情報設定部３２から定常的に出力されている基本レイアウト情報とを合成し、当該合成画像情報を対応する複数の画像表示装置４に向け出力する。この結果、複数の画像表示装置４上には、テキスト情報及び地図情報からなる所要の画像情報が、背景色情報から導出される代表色や平均色などの特徴色の反対色により強調表示されるようになり、これにより、基本レイアウト情報に対する画像情報の視認性が向上する（即ち、複数の情報受信端末３の利用者にとって画像情報が見やすくなる）ようになる。
【００４６】
以上、本第１方法例では、表示色情報変更部５３が生成する強調画像情報（相反色情報）として、背景色情報から導出される代表色や平均色などの特徴色の反対色を選定する例を挙げたが、それが基本レイアウト情報に対する画像情報の視認性を向上させうるものであれば、如何なる形態の色情報であってもよい。
【００４７】
また、本第１方法例では、背景色情報抽出部５２において、基本レイアウト情報設定部３２から取得された基本レイアウト情報から、背景画像の要部を構成する背景の表示色に関して定義された背景色情報を抽出するようにしたが、これに代る文字色情報抽出部により、背景画像の一部を構成する文字の表示色に関して定義された文字色情報を抽出するようにし、さらに、背景色情報変更部５３に、文字色情報抽出部で抽出された文字色情報から導出される特徴色と視覚的に相反する相反色情報を選定させ、画像情報を構成する全要素に対して当初定義されている表示色情報を、その選定された相反色情報に変更させるようにしてもよい。
【００４８】
（第２装置例）
次に、図２は、本発明の第２装置例に係る配信情報出力システム装置の機能構成図である。なお、本図に示す各構成要素には、既に図１に示したものと同一又は同等の機能手段を具備するものについて共通の符号を付すものとし、該当する各構成要素に関する詳細な説明については省略するものとする。
【００４９】
同図に示すように、本第２装置例に係る配信情報出力システム装置βは、そのネットワーク構成要素として、画像表示に係る情報を配信する情報配信サーバ１ａと、この情報配信サーバ１ａからネットワーク２を経由して配信された情報をそれぞれ受信する複数の情報受信端末３ａ（図では１つの情報受信端末３ａ）と、これら複数の情報受信端末３ａで受信された情報に基づく画像情報をそれぞれ表示する複数の画像表示装置４（図では１つの画像表示装置４）とを有して構成される。なお、これら情報配信サーバ１ａ及び複数の情報受信端末３ａは、共にコンピュータの基本機能を具備する。
【００５０】
このうち、複数の情報受信端末３ａは、前述した基本レイアウト情報設定部３２及び合成画像情報出力部３３と、基本レイアウト情報部３２で設定された基本レイアウト情報を、ネットワーク２を経由して情報配信サーバ１ａに向け送信する基本レイアウト情報送信部３４と、情報配信サーバ１ａからネットワーク２を経由して配信されることになる強調画像情報を受信する強調画像情報受信部３５とを有して構成される。
【００５１】
一方、情報配信サーバ１ａは、前述した表示情報生成部１１と、複数の情報受信端末３ａからネットワーク２を経由して送信された基本レイアウト情報を受信する基本レイアウト情報受信部１３と、この基本レイアウト情報受信部１３で受信された基本レイアウト情報を取得すると共に、その取得された基本レイアウト情報に基づき、当該基本レイアウト情報に対する画像情報の視認性を向上させうる形態に当該画像情報を変更して強調画像情報を生成する強調画像情報生成部５ａと、この強調画像情報生成部５ａで生成された強調画像情報を、ネットワーク２を経由して複数の情報受信端末３ａに配信する強調画像情報配信部１４とを有して構成される。
【００５２】
ここで、情報配信サーバ１ａに設けられる強調画像情報生成部５ａは、表示情報生成部１１で生成された表示情報に基づいて画像情報（イメージ）を生成する画像情報生成部５１と、基本レイアウト情報受信部１３から取得された基本レイアウト情報から、背景画像の一部を構成する文字の表示フォントに関して定義された文字フォント情報を抽出する文字フォント情報抽出部５４と、この文字フォント情報抽出部５４で抽出された文字フォント情報で表される設定フォントと視覚的に相違する相違フォント情報を選定すると共に、画像情報を構成するテキスト要素に対して当初定義されている表示フォント情報を、その選定された相違フォント情報に変更する（強調画像情報を生成する）文字フォント情報変更部５５とを有して構成される。
【００５３】
なお、上記文字フォント情報変更部５５は、所要の相違フォント情報の選定に際し、文字フォント情報抽出部５４で抽出された文字フォント情報で表される設定フォントと、その種類、表示サイズ（ポイント数など）、表示形式（太字や斜体など）及び表示色のうち１以上のフォント情報要素について相違する当該相違フォント情報を生成する機能手段を具備する。
【００５４】
（第２方法例）
続いて、以上のように構成された配信情報出力システム装置βにより実施される配信情報出力方法の具体例を、当該配信情報出力システム装置βの動作態様に即して説明する。なお、本第２方法例では、情報配信サーバ１ａが、複数の情報受信端末３ａにおける複数の画像表示装置４への画像表示に係る情報として、テキスト情報のみからなる「地震情報」をネットワーク２を経由して配信する例を挙げて説明する。
【００５５】
まず、本配信情報出力システム装置βにおける複数の情報受信端末３ａは、上記地震情報を表現する震源地や各地の震度などを示すテキスト情報の受信に先立ち、自らの基本レイアウト情報設定部３２から出力された基本レイアウト情報を、基本レイアウト情報送信部３４の機能により、ネットワーク２を経由して情報配信サーバ１ａに送信する。
【００５６】
次に、情報配信サーバ１ａは、表示情報生成部１１において所要のテキスト情報を生成し、このテキスト情報を、強調画像情報生成部５ａにおける画像情報生成部５１に受け渡す。そして、画像情報生成部５１は、その表示情報生成部１１から受け渡されたテキスト情報に基づいて、対応する画像情報（イメージ）を生成し、この画像情報を文字フォント情報変更部５５に受け渡す。
【００５７】
これに対し、同強調画像情報生成部５ａにおける文字フォント情報抽出部５４は、基本レイアウト情報受信部１３で受信された上記基本レイアウト情報を取得して、その取得された基本レイアウト情報から、背景画像の一部を構成する文字の表示フォントに関して定義された文字フォント情報を抽出し、さらに、その抽出された文字フォント情報から導出される代表色や平均色などの特徴色に関する色情報をビット列として抽出し、このビット列を、元の文字フォント情報と共に文字フォント情報変更部５５に受け渡す。
【００５８】
次に、文字フォント情報変更部５５は、基本レイアウト情報に対する画像情報の視認性を向上させうる形態に当該画像情報を変更するために、文字フォント情報抽出部５４から受け渡された色情報を示すビット列を反転させることにより、当該色情報と反対色の情報要素をもつ相違フォント情報を生成すると共に、同時に受け渡された元の文字フォント情報で表される設定フォントよりも大きい表示サイズ（ポイント数など）の情報要素をもつ相違フォント情報を生成する（選定する）。この結果、当該相違フォント情報は、表示色及び表示サイズの２つのフォント情報要素により特徴付けられるようになる。
【００５９】
次に、文字フォント情報変更部５５は、画像情報生成部５１から受け渡された画像情報を構成するテキスト要素に対して当初定義されている表示フォント情報を、選定された上記反対色の情報要素及び大きい表示サイズの情報要素をもつ相違フォント情報に変更し、この相違フォント情報を、強調画像情報として強調画像情報配信部１４に受け渡す。この結果、所要の強調画像情報を生成する処理が、複数の情報受信端末３ａからそれぞれ取得された基本レイアウト情報に基づいて、情報配信サーバ１ａにおいて集約的に実施されるようになる。
【００６０】
そして、強調画像情報配信部１４は、文字フォント情報変更部５５から受け渡された上記強調画像情報を、ネットワーク２を経由して複数の情報受信端末３ａに配信し、これに対し、複数の情報受信端末３ａにおける強調画像情報受信部３５は、ネットワーク２を経由して受信された当該強調画像情報を合成画像情報出力部３３に受け渡す。
【００６１】
そして、合成画像情報出力部３３は、強調画像情報受信部３５から受け渡された上記強調画像情報と、基本レイアウト情報設定部３２から定常的に出力されている基本レイアウト情報とを合成し、当該合成画像情報を対応する複数の画像表示装置４に向け出力する。この結果、複数の画像表示装置４上には、テキスト情報のみからなる所要の画像情報が、文字フォント情報から導出される代表色や平均色などの特徴色の反対色により強調表示されると共に、配信された元のテキスト情報よりも大きい表示サイズで強調表示されるようになり、これにより、基本レイアウト情報に対する画像情報の視認性が向上する（即ち、複数の情報受信端末３ａの利用者にとって画像情報が見やすくなる）ようになる。
【００６２】
以上、本第２方法例では、文字フォント情報変更部５５が生成する強調画像情報（相違フォント情報）として、文字フォント情報から導出される代表色や平均色などの特徴色の反対色を選定し、かつ、配信された元のテキスト情報よりも大きい表示サイズを選定する例を挙げたが、それが基本レイアウト情報に対する画像情報の視認性を向上させうるものであれば、如何なる形態の色情報であってもよいし、また、文字フォント情報変更部５５は、その設定により、文字フォント情報抽出部５４で抽出された文字フォント情報で表される設定フォントと、その種類や表示形式（太字や斜体など）など他のフォント情報要素が相違する相違フォント情報を生成するよう定義することも可能である。
【００６３】
また、以上の第１及び第２装置例並びに第１及び第２方法例では、それぞれ、所要の画像情報を、基本レイアウト情報中の背景色情報に基づいて強調させる強調画像情報生成部５を複数の情報受信端末３に設け、それを文字フォント情報に基づいて強調させる強調画像情報生成部５ａを情報配信サーバ１ａに設けた例を挙げて説明したが、これら強調画像情報生成部５及び５ａは、それぞれ、情報配信サーバ１及び複数の情報受信端末３ａに設けることも可能である。
【００６４】
（プログラム例及び記録媒体例）
以上の第１及び第２装置例並びに第１及び第２方法例の説明から明らかなように、本発明における情報配信サーバ１及び１ａ並びに複数の情報受信端末３及び３ａは、共にコンピュータの基本機能を具備しているため、本発明で具現化しようとする所要の機能は、ソフトウェアプログラムにより構成することができる。
【００６５】
即ち、所要の配信情報出力処理プログラムを構成するに際しては、基本的に、上記第１及び第２装置例に示した構成において、情報配信サーバ１（１ａ）及び複数の情報受信端末３（３ａ）の何れか一方に、▲１▼複数の情報受信端末３（３ａ）から、対応する複数の画像表示装置４への背景画像情報の表示に関して設定された基本レイアウト情報をそれぞれ取得させるステップと、▲２▼その取得された基本レイアウト情報に基づき、当該基本レイアウト情報に対する画像情報の視認性を向上させうる形態に当該画像情報を変更させて強調画像情報を生成させるステップとを具備させ、複数の情報受信端末３（３ａ）に、それぞれ、▲３▼生成された強調画像情報を取得させるステップと、▲４▼その取得された強調画像情報と基本レイアウト情報とを合成させ、当該合成画像情報を対応する複数の画像表示装置４に向け出力させるステップとを具備させればよい。
【００６６】
また、記録媒体を構成するに際しては、コンピュータ読取可能な任意の記録媒体に、上記各ステップからなる配信情報出力処理プログラムを記録すればよい。
【００６７】
以上、本発明の実施の形態につき、第１及び第２装置例並びにこれに対応する第１及び第２方法例、並びにこれら各方法例を具現化するためのプログラム例及び記録媒体例を挙げて説明したが、本発明は、必ずしも上述した手段、手法、手順及び手続にのみ限定されるものではなく、本発明にいう目的を達成し、後述の効果を有する範囲内において、適宜、変更実施することが可能なものである。
【００６８】
【発明の効果】
以上、詳細に説明したように、本発明によれば、情報受信端末により設定された基本レイアウトの如何によらず、情報配信サーバから配信された画像表示に係る情報を画像表示装置上に明瞭に表示することが可能になって、複数の情報受信端末の利用者にとって画像情報が見やすくなり、しかも、ネットワーク上に存在する複数の情報受信端末によりそれぞれ設定されている複数の基本レイアウトに個別に対応することが可能となる。
【図面の簡単な説明】
【図１】本発明の第１装置例に係る配信情報出力システム装置の機能構成図である。
【図２】本発明の第２装置例に係る配信情報出力システム装置の機能構成図である。
【符号の説明】
α，β…配信情報出力システム装置
１，１ａ…情報配信サーバ
１１…表示情報生成部
１２…表示情報配信部
１３…基本レイアウト情報受信部
１４…強調画像情報配信部
２…ネットワーク
３，３ａ…情報受信端末
３１…表示情報受信部
３２…基本レイアウト情報設定部
３３…合成画像情報出力部
３４…基本レイアウト情報送信部
３５…強調画像情報受信部
４…画像表示装置
５，５ａ…強調画像情報生成部
５１…画像情報生成部
５２…背景色情報抽出部
５３…表示色情報変更部
５４…文字フォント情報抽出部
５５…文字フォント情報変更部
【図１】
2004336402.tif 000003
【図２】
2004336402.tif 000004